(57)【要約】【課題】読影者が、読影レポートを作成するための所見の入力を行う際に、入力すべき所見と医用画像との厳密な対応をとることのできる、読影レポート作成支援端末を提供する。【解決手段】少なくとも医用画像ＩＭが画面内に表示される表示装置Ｄと、少なくとも前記表示装置Ｄに表示された医用画像ＩＭにおける所定の読影項目ＩＴに関する所見事項を入力するための入力装置Ｉと、前記入力装置Ｉによって入力された上記読影項目ＩＴに関する所見事項に基づいて、前記所定の読影項目ＩＴに関する所見事項が記載される前記医用画像ＩＭに関する読影レポートを作成する情報処理装置と、を有する読影レポート作成支援端末Ｔであって、前記情報処理装置は、前記表示装置Ｄの画面内に表示されている前記医用画像ＩＭの表示とともに、上記所定の読影項目ＩＴに関する所見事項を入力するための入力欄を前記画面内に表示させる制御を行う。【選択図】図５
2010128971.tif 000002
【特許請求の範囲】
【請求項１】
少なくとも医用画像が画面内に表示される表示装置と、
少なくとも前記表示装置に表示された医用画像における所定の読影項目に関する所見事項を入力するための入力装置と、
前記入力装置によって入力された上記読影項目に関する所見事項に基づいて、前記所定の読影項目に関する所見事項が記載される前記医用画像に関する読影レポートを作成する情報処理装置と、
を有する読影レポート作成支援端末であって、
前記情報処理装置は、前記表示装置の画面内に表示されている前記医用画像の表示とともに、上記所定の読影項目に関する所見事項を入力するための入力欄を前記画面内に表示させる制御を行う
読影レポート作成支援端末。
【請求項２】
前記情報処理装置は、前記画面内に表示される入力欄を、前記入力装置の入力に応じて、前記画面内において自在に移動させる制御を行う
請求項１に記載の読影レポート作成支援端末。
【請求項３】
前記所定の読影項目は複数存在し、
前記情報処理装置は、前記複数の読影項目それぞれに対して個別に上記入力欄を表示させる制御を行う
請求項１または請求項２のいずれか１項に記載の読影レポート作成支援端末。
【請求項４】
前記情報処理装置は、前記入力装置の入力に応じて、前記画面内に表示されている医用画像における特定の箇所を示すポインタを前記画面内に表示させる制御を行い、かつ、前記医用画像における特定の箇所における所定の読影項目に関する上記入力欄を前記ポインタとともに表示させる制御を行う
請求項１から請求項３のいずれか１項に記載の読影レポート作成支援端末。
【請求項５】
前記情報処理装置は、前記医用画像の表示面積よりも小さな表示面積を有する入力欄を前記画面内に表示させる制御を行う
請求項１から請求項４のいずれか１項に記載の読影レポート作成支援端末。
【発明の詳細な説明】
【技術分野】
【０００１】
本発明は、読影者が医用画像を読影することによって読影レポートを作成する際に、その作成を支援するための読影レポート作成端末に関する。
【背景技術】
【０００２】
ＣＴ（Ｃｏｍｐｕｔｅｄ  Ｔｏｍｏｇｒａｐｈｙ：コンピュータ断層撮影），ＭＲＩ（Ｍａｇｎｅｔｉｃ  Ｒｅｓｏｎａｎｃｅ  Ｉｍａｇｉｎｇ：磁気共鳴撮影），ＰＥＴ（Ｐｏｓｉｔｒｏｎ  Ｅｍｉｓｓｉｏｎ Ｔｏｍｏｇｒａｐｈｙ：陽電子放出型断層撮影），マンモグラフィ（ｍａｍｍｏｇｒａｐｈｙ）といったＸ線撮影装置、などの検査装置によって得られた医用画像の分析は、その医用画像を読影するための専門の読影者によって行われる。
【０００３】
読影者によって医用画像の分析が行われる場合は、まず例えば、図１に示すように、検査装置であるモダリティ装置（ＭＯ：Ｍｏｄａｌｉｔｙ）によって得られた医用画像に関するデータが、ＬＡＮ（Ｌｏｃａｌ  Ａｒｅａ  Ｎｅｔｗｏｒｋ）等のネットワーク（Ｎ：Ｎｅｔｗｏｒｋ）を通じて、サーバー（Ｓ：Ｓｅｒｖｅｒ）に蓄積される。
【０００４】
そして、サーバーＳに蓄積された医用画像に関するデータをネットワークＮを通じて、読影者の端末（Ｔi：Ｔｅｒｍｉｎａｌ）（ｉ＝１，２，  ，Ｎ、以降Ｔと記す。）に読み出し、端末Ｔによって、医用画像の分析が行われる。
【０００５】
端末Ｔは、例えば図２に示すように、通常のパーソナルコンピューターが該当する。端末Ｔは、ディスプレイなどの表示装置Ｄ、マウスやキーボードなどの入力装置Ｉを有し、オペレータＯＰである読影者によって操作される。
【０００６】
端末Ｔを使用することにより、サーバーＳに蓄積された医用画像を端末Ｔの表示装置Ｄに表示させることができる。すなわち図１１（ａ）に示すように、端末Ｔの表示装置Ｄに医用画像ＩＭl（Ｉｍａｇｅ）を表示させることができるので、読影者は表示装置Ｄに表示された医用画像ＩＭl（ｌ＝１，２，３，    ，Ｍ）から医用画像の詳細を確認することができる。
【０００７】
ここで、読影者によって医用画像の読影が行われた場合は、読影結果を他の医療関係者と共有できるように、読影レポート（Ｒｅｐｏｒｔ）が作成される。
読影レポート（Ｒｅｐｏｒｔ）の概念を示すものを図４に示す。
【０００８】
すなわち、図４に示す読影レポートには、医用画像ＩＭ1，ＩＭ2，ＩＭ3，  ，  ，ＩＭM（Ｉｍａｇｅ）が列記されている。そして、さらに、所定の読影項目ＩＴk（Ｉｔｅｍ）ごとに、必要な所見Ｆk1，Ｆk2，Ｆk3，  ，  ，（Ｆｉｎｄｉｎｇ）、及び、医用画像ＩＭにおける特定の箇所Ａlj（アノテーション：Ａｎｎｏｔａｔｉｏｎ）の所定の読影項目ＩＴk`（Ａlj）ごとに、必要な所見Ｆk`1，Ｆk`2，Ｆk`3，  ，  ，が列記されている。
【０００９】
図４に示すような読影レポートを作成するためには、例えば、ディスプレイなどの表示装置と、キーボードやマウスといった入力装置と、中央演算装置と記憶装置を有する情報処理装置とを有するパーソナルコンピューターを利用する。
【００１０】
すなわち、読影レポートを作成するためには、上記記憶装置に記憶され、図４に示す読影レポートのレイアウトに対応する文書作成ソフトウェアを中央演算装置で起動させる。そして、入力装置に対する所見についての入力事項に応じて、中央演算装置と記憶装置とが協働して、図４に示す読影レポートが作成される。
【００１１】
ここで、読影レポートの作成は、図１１（ｂ）に示すように、図１１（ａ）に示す医用画像ＩＭｌを表示するための表示装置Ｄとは別途の表示装置Ｄ´に表示された画面を参照しながら、行われる。
【００１２】
すなわち、図１１（ｂ）に示すように、読影レポート（Ｒｅｐｏｒｔ）のレイアウトに対応したウィンドウＷＩＮ（Ｗｉｎｄｏｗ）が、読影レポート作成画面として、端末Ｔと別途の端末（表示装置Ｄ´以外の要素は、端末Ｔと共通であっても良い。）の表示装置Ｄ´に示されている。
【００１３】
図１１（ｂ）に示されているように、ウィンドウＷＩＮには、所定の読影項目ＩＴkごとに必要な所見Ｆk1，Ｆk2，Ｆk3，  ，  ，  が、読影者であるオペレータＯＰが端末Ｔと別途の端末の入力装置（端末Ｔの入力装置を共用することもある。）を操作することによって、入力される。
【００１４】
さらに、図１１（ａ）に示された医用画像ＩＭｌ全体についての所定の読影項目ＩＴkごとの所見Ｆk1，Ｆk2，Ｆk3，  ，  ，  だけではなく、医用画像ＩＭｌにおける特定の個所においてより詳細な所見が示される場合がある。
【００１５】
そのため図１１（ａ），（ｂ）に示すように、表示されている医用画像ＩＭｌにおける特定の箇所Ａljにおける所定の読影項目ＩＴk`（Ａlj）ごとに、必要な所見Ｆk`1，Ｆk`2，Ｆk`3，  ，  ，が入力される。
【００１６】
図６に読影レポートの具体的な例を示す。図６に示された読影レポートには、マンモグラフィによって乳房について診断された２枚の医用画像ＩＭ1，ＩＭ2とともに、医用画像ＩＭ全体についての所定の読影項目ＩＴ1，ＩＴ2，ＩＴ3，ＩＴ4，ＩＴ5，ＩＴ6に関する所見Ｆ11，Ｆ21，Ｆ31，Ｆ41，Ｆ51，Ｆ61が記載されている。
【００１７】
またさらに、読影レポートに記載された医用画像ＩＭ1，ＩＭ2の特定の箇所Ａ11，Ａ22，Ａ23における所定の読影項目ＩＴ1`，ＩＴ2`に関する所見Ｆ1`1，Ｆ2`2，Ｆ2`3が示されている。
【００１８】
上記、所定の読影項目ＩＴや所見Ｆについて具体的に述べる。
例えば、読影項目ＩＴ1は、「撮影方法」に関する項目であり、その所見Ｆ11は「ＭＬＯ（内外斜位方向撮影）」となっている。読影項目ＩＴ2は、「読影状態」に関する項目であり、その所見Ｆ21は「ポジショニング不良」となっている。
【００１９】
読影項目ＩＴ3は、「乳腺の構成」に関する項目であり、その所見Ｆ31は「不均一高濃度」となっている。読影項目ＩＴ4は、「マンモグラフィ判定」に関する項目であり、その所見Ｆ41は「要精密検査」となっている。
【００２０】
さらに、読影項目ＩＴ5は、「右乳房のマンモグラフィのカテゴリー」に関する項目であり、その所見Ｆ51は「３」となっている。読影項目ＩＴ6は、「左乳房のマンモグラフィのカテゴリー」に関する項目であり、その所見Ｆ61は「１」となっている。
【００２１】
そして、読影項目ＩＴ1`またはＩＴ2`はそれぞれ「画像ＩＭ1のアノテーション(1)（図では、○１「マルイチ」と記載されている。以下同じ。）（Ａ11）における所見」または「画像ＩＭ2のアノテーション(2)（図では、○２「マルニ」と記載されている。以下同じ。）（Ａ22），(3)（図では、○３「マルサン」と記載されている。以下同じ。）（Ａ23）における所見」である。
【００２２】
そして、これらの読影項目ＩＴに対する所見Ｆ1`1，Ｆ2`2，Ｆ2`3は、「腫瘤：分葉形、スピキュラを伴う」、「石灰化：多形成あるいは不均一、微細線状」、及び、「腫瘤：分葉形、スピキュラを伴う」となっている。
【００２３】
以上説明した具体的な読影項目ＩＴは、医用画像ＩＭｌを表示するための表示装置Ｄとは別途の表示装置Ｄ´に表示された画面において、フォーマット化された形式として表示される。そして、以上説明した具体的な所見Ｆは、端末Ｔと別途の端末の入力装置、または、端末Ｔの入力装置を読影者が操作することによって、入力される。
【００２４】
なお、医療業界では「所見」とは主として、異常を意味するが、本明細書の説明では例えば、上記の所見Ｆ11が「ＭＬＯ（内外斜位方向撮影）」であるように、異常を意味する場合以外の意味も含むこととする（以降の実施の形態においても同様）。
【００２５】
また、「読影項目」は、厳密には読影者が解析すべき医用画像から所見を得るべき項目であるが、本発明では例えば、上記のＩＴ1が「撮影方法」であるように、所見を得るべき項目以外も含むこととする（以降の実施の形態においても同様）。
【００２６】
ここで、所見データを作成する際に読影した医用画像における対象部位とその部位に対応する所見データとの関連付けを容易にするための手法を示す技術が特許文献１に示されている。
【００２７】
【特許文献１】特開２００５−０２５６６９号公報
【発明の開示】
【発明が解決しようとする課題】
【００２８】
読影者が医用画像を表示するための表示装置Ｄに表示された医用画像ＩＭを参照しながら読影レポート（Ｒｅｐｏｒｔ）を作成する場合は通常、読影レポート作成画面を表示させるための表示装置Ｄ´を別途使用する必要がある。
【００２９】
すなわち、図１１（ａ），（ｂ）に示されているように、医用画像ＩＭが表示される表示装置Ｄと、読影レポート作成画面が表示される表示装置Ｄ´とはそれぞれ独立な構成となっている。
そのため、読影者は、表示装置Ｄ´に表示されている読影レポート作成画面に対して入力を行っている最中は、医用画像ＩＭが表示される表示装置Ｄから目を離す必要がある。
【００３０】
したがって特に、医用画像ＩＭにおいて、ある所定の個所についての所見を記載する場合は、当該所定の個所と所見の入力事項との厳密な対応を取ることが困難である。すなわち読影者は、当該所定の箇所を確認しながら、所見の入力を行うことが困難となる。
さらに、こういった困難性は、読影レポートを作成する場合に、一台の表示装置Ｄのみを使用する場合であっても同様である。
【００３１】
すなわち、一台の表示装置Ｄに医用画像ＩＭと読影レポート作成画面を同時に表示させることは、表示装置Ｄの表示スペースの都合上、難しい。そのため、読影者は、読影レポート作成画面上に対して所見の入力を行っている最中は医用画像ＩＭの表示が行われないので、入力作業において入力すべき所見と医用画像ＩＭと厳密な対応を取るのが困難である。
【００３２】
そこで、本発明が解決しようとする課題は、読影者が、読影レポートを作成するための所見の入力を行う際に、入力すべき所見と医用画像との厳密な対応をとることのできる、読影レポート作成支援端末を提供することである。
【課題を解決するための手段】
【００３３】
本発明は、少なくとも医用画像が画面内に表示される表示装置と、少なくとも前記表示装置に表示された医用画像における所定の読影項目に関する所見事項を入力するための入力装置と、前記入力装置によって入力された上記読影項目に関する所見事項に基づいて、前記所定の読影項目に関する所見事項が記載される前記医用画像に関する読影レポートを作成する情報処理装置と、を有する読影レポート作成支援端末であって、前記情報処理装置は、前記表示装置の画面内に表示されている前記医用画像の表示とともに、上記所定の読影項目に関する所見事項を入力するための入力欄を前記画面内に表示させる制御を行う。
【００３４】
好適に、前記情報処理装置は、前記画面内に表示される入力欄を、前記入力装置の入力に応じて、前記画面内において自在に移動させる制御を行う。
より一層好適に、前記所定の読影項目は複数存在し、前記情報処理装置は、前記複数の読影項目それぞれに対して個別に上記入力欄を表示させる制御を行う。
【００３５】
さらにまた好適に、前記情報処理装置は、前記入力装置の入力に応じて、前記画面内に表示されている医用画像における特定の箇所を示すポインタを前記画面内に表示させる制御を行い、かつ、前記医用画像における特定の箇所における所定の読影項目に関する上記入力欄を前記ポインタとともに表示させる制御を行う。
なお、前記情報処理装置は、前記医用画像の表示面積よりも小さな表示面積を有する入力欄を前記画面内に表示させる制御を行う、としても良い。
【発明の効果】
【００３６】
本発明によれば、読影者が、読影レポートを作成するための所見の入力を行う際に、入力すべき所見と医用画像との厳密な対応をとることができる。
【発明を実施するための最良の形態】
【００３７】
本発明に係る実施の形態の概念を、図１〜図５を参照しながら、説明する。
図１は、本実施の形態に係る読影レポート作成支援端末Ｔが、モダリティ装置ＭＯとサーバーＳが接続されているネットワークＮに、接続された構成を示す図である。
図２は、本実施形態に係る読影レポート作成支援端末Ｔの例を示す図であり、図２（ａ）はその斜視図であり、図２（ｂ）はその横面図となっている。
【００３８】
図３は、図２で示す読影レポート作成支援端末Ｔの内部構成についての、ブロック構成図を示す図である。
図４は、読影レポート作成支援端末Ｔによって作成された読影レポートの概念を示している。
図５は、本実施の形態に係る読影レポート作成支援端末Ｔの表示装置Ｄに表示される画像の概念を示している。
【００３９】
図１に示す読影レポート作成支援端末Ｔの接続状態については、上記の従来の技術で説明した端末のものとほぼ同様であるので、詳細な説明を省略する。
【００４０】
図１に示す場合では、検査装置であるモダリティ装置ＭＯによって得られた医用画像に関するデータが、ネットワークＮを通じて、サーバーＳに蓄積され、蓄積されたデータは、ネットワークＮを通じて、読影レポート作成支援端末Ｔに読み出されるものとする。
【００４１】
また、図２で示す読影レポート作成支援端末Ｔで行われる情報処理については、本発明のポイントとなる情報処理の部分（主として、以降で参照される図５及びその図に関する説明を参照）以外は、上記の従来の技術で説明した端末のものとほぼ同様であるので、詳細な説明を省略する。
【００４２】
図２で示す読影レポート作成支援端末Ｔは、従来の読影レポートを作成するための端末と同様に、ディスプレイなどの表示装置Ｄ、マウスやキーボードなどの入力装置Ｉを有し、オペレータＯＰである読影者によって操作されるものである。
【００４３】
図３に示す読影レポート作成支援端末Ｔの内部構成について説明する。
図３に示す読影レポート作成支援端末Ｔは、通常のパーソナルコンピューターなどによって構成することができる。
【００４４】
すなわち、読影レポート作成支援端末Ｔは、表示装置Ｄ、入力装置Ｉ、及び、情報処理装置を構成するためのＣＰＵ（Ｃｅｎｔｒａｌ  Ｐｒｏｃｅｓｓｉｎｇ  Ｕｎｉｔ）等の処理装置Ｐ、メモリーからなる記憶装置Ｍが、互いに接続された構成となっている。
【００４５】
そして、読影レポート作成支援端末Ｔでは、図３に示すＩ／Ｏ（Ｉｎｐｕｔ／Ｏｕｔｐｕｔ）を介して、モダリティ装置ＭＯから医用画像に関するデータや読影レポートに関するデータを外部とやり取りできるようにしている。
【００４６】
ただし、モダリティ装置ＭＯから医用画像に関するデータがネットワークＮを通じて、読影レポート作成支援端末Ｔに転送される代わりに、持ち運び可能な記憶媒体に医用画像に関するデータを記憶させて、そのデータをＩ／Ｏを介して医用画像に関するデータが読み出されるようにしても良い。
【００４７】
読影レポート作成支援端末Ｔにおける上記構成のそれぞれについて説明する。
まず、表示装置Ｄでは、上記医用画像に関するデータに基づき、少なくとも医用画像が、情報処理装置の制御に従って、表示される。表示すべき医用画像が複数存在する場合には、例えば入力装置Ｉを操作することによって、所定の医用画像を表示させる旨の指示が情報処理装置に対して送信されるようにすることもできる。
【００４８】
また、表示装置Ｄに表示されている上記の医用画像は、オペレータＯＰが閲覧することによって所定の読影項目が読影され、その読影結果に関する所定の事項の入力が入力装置Ｉに対して行われる。
【００４９】
情報処理装置は、入力装置Ｉによって入力された所定の事項に基づいて、上記所定の読影項目に関する所見が記載され、上記医用画像に関する読影レポートの作成を行う。
【００５０】
なお、情報処理装置によって作成される読影レポートのレイアウト（例えば、図４参照）については、周知の読影レポート作成を作成するためのソフトウェアによって作成されたものと同様である。したがって、以下で説明する「読影項目に関する所見事項が入力」された以降の情報処理については従来の情報処理と共通している。
【００５１】
すなわち、本発明の読影レポート作成支援端末も、従来技術の図１１（ｂ）に示す医用画像ＩＭを表示するための端末と別途の端末も、入力装置Ｉによって入力された読影項目に関する所見事項に基づいて、読影事項に関する所見事項が記載される読影レポートを作成するための情報処理装置を有する点で共通している。
【００５２】
ここで再度、図４に示され、読影レポート作成支援端末Ｔによって作成される読影レポート（Ｒｅｐｏｒｔ）の概念について説明する。
本実施形態の読影レポート作成支援端末Ｔでは、上記の従来の技術の説明において、図１１（ｂ）で示す端末Ｔと別途の端末によって作成された読影レポートと同様の読影レポートを作成することができる。
【００５３】
すなわち、説明したように、図４に示す読影レポートでは、医用画像ＩＭ1，ＩＭ2，ＩＭ3，  ，  ，ＩＭMが列記され（なお、医用画像ＩＭを列記せずに以下の所見のみが記載されていても良い）ている。
【００５４】
そして、さらに、所定の読影項目ＩＴkごとに、必要な所見Ｆk1，Ｆk2，Ｆk3，  ，  及び、（必要に応じて）医用画像ＩＭの特定の箇所Ａlj（アノテーション：Ａｎｎｏｔａｔｉｏｎ）における所定の読影項目ＩＴk`（Ａlj）ごとに、必要な所見Ｆk`1，Ｆk`2，Ｆk`3，  ，  が記載されている。
【００５５】
次に、本発明の実施形態に係る読影レポート作成支援端末Ｔを使用して図４に示すような読影レポートを作成する場合について、図５を参照しながら説明する。
【００５６】
まず、医用画像について、オペレータＯＰが読影できるように、読影すべき所定の医用画像ＩＭｌを少なくとも１枚、表示装置Ｄの画面内に表示させる（図５参照（ａ））。このとき、画面内には医用画像ＩＭｌが表示されているので、オペレータＯＰは、医用画像ＩＭｌについて詳しく読影を行うことができるようになる。これにより、オペレータＯＰは、医用画像ＩＭｌにおける所定の読影項目ＩＴkに関する所見を得ることができる。
【００５７】
また、表示装置Ｄの画面内に表示されている医用画像ＩＭｌの表示とともに、上記所定の読影項目ＩＴkに関する所見についての入力を入力装置Ｉによって行うための入力欄が表示装置Ｄの画面内に表示される。
【００５８】
この入力欄は、図５（ａ）に示すように、ウィンドウＷＩＮlmによって構成され、ウィンドウＷＩＮlmを表示装置Ｄの画面内に表示するための制御は情報処理装置によって行われる。
【００５９】
ウィンドウＷＩＮlmを表示装置Ｄの画面内に表示するための制御を情報処理装置が行う場合には、ウィンドウＷＩＮlmに関する表示データを上記ソフトウェアとともに記憶装置Ｍに記憶させておく。
【００６０】
そして、上記ソフトウェアを処理装置Ｐが実行している最中に、ウィンドウＷＩＮlmに関する表示データを記憶装置Ｍから読み出し、表示装置Ｄに転送することによって、ウィンドウＷＩＮlmを表示装置Ｄの画面内に表示させることができる。
【００６１】
ウィンドウＷＩＮlmを表示装置Ｄの画面内に表示させるタイミングは、上記ソフトウェアを実行中に自動的にその表示をさせる制御を処理装置Ｐが行うことにより、決定しても良い。また、オペレータＯＰが入力装置Ｉに対して所定の操作を行った場合に、その操作信号が処理装置Ｐに送信されたときに処理装置ＰがウィンドウＷＩＮlmを表示させる制御を処理装置が行っても良い。
【００６２】
図５（ａ）に示すように、表示装置Ｄの画面内には、医用画像ＩＭｌとともにウィンドウＷＩＮlmからなる入力欄も表示されているので、オペレータＯＰは、医用画像ＩＭｌを詳細に確認しながら、このウィンドウＷＩＮlm内に所見についての入力を入力装置Ｉによって行うことができる。すなわち、オペレータＯＰが所見についての入力を行う際は、医用画像ＩＭｌから目を離す必要が無い。
【００６３】
なお、表示装置Ｄの画面内に表示されるウィンドウＷＩＮlmは、オペレータＯＰが入力装置Ｉに対して所定の入力操作を行うことによって、画面内において自在に移動（スクロール）させることができる。
【００６４】
これを行うためには例えば、オペレータＯＰは、入力装置Ｉのマウスを操作することにより画面内に表示されているウィンドウＷＩＮlmを特定し、マウスを平面的に動かす。
そうすると、その信号が入力装置Ｉから情報処理装置に送信され、情報処理装置は、マウスの動きに対応させてウィンドウＷＩＮlmを画面内においてスクロールさせる制御を行う。
【００６５】
ウィンドウＷＩＮlmが表示装置Ｄの画面内において自在にスクロールされることにより、入力欄によって隠されてしまうことになる医用画像ＩＭｌの箇所がオペレータＯＰに見えるようにすることができる。
【００６６】
そのため、オペレータＯＰは、医用画像ＩＭｌの隅々まで詳細に確認しながら、所見についての入力を入力装置Ｉによって行うことができる。
【００６７】
ここで、図４に示す読影レポートにおいて所見Ｆが示される読影項目ＩＴkは、一つの場合だけではなく、複数存在する場合も多い。
【００６８】
そこで、読影項目ＩＴkが複数存在する場合には、図５（ａ）において、各読影項目ＩＴkごとに、所見についての入力を行うための入力欄を表示する制御を情報処理装置が行うようにすることが望ましい。すなわち、複数種類のＷＩＮlmが表示装置Ｄの画面内に表示されるようにすることが望ましい。
【００６９】
そうすると、入力欄を読影項目ＩＴkごとに細分化することができるので、画面内に表示される入力欄であるＷＩＮlmの面積が徒に巨大化することがない。これにより、医用画像ＩＭｌが入力欄によって隠されることによる、オペレータＯＰの医用画像ＩＭｌの読影作業や入力欄への入力作業の妨げが生ずることがない。
【００７０】
入力欄を読影項目ＩＴkごとに細分化した場合には、入力欄に対応するウィンドウＷＩＮlmが医用画像ＩＭｌの表示の邪魔とならないように、ウィンドウＷＩＮlmの表示面積を医用画像ＩＭｌの表示面積よりも小さくすることができる。
【００７１】
さらに、入力欄を読影項目ＩＴkごとに細分化した場合であっても、ある読影項目ＩＴkに対するウィンドウＷＩＮlmは階層化された複数のウィンドウＷＩＮによって構成することも可能である。
【００７２】
すなわち、ある読影項目ＩＴkに関する入力欄に対応する第１のウィンドウＷＩＮを表示装置Ｄの画面内に表示させる場合において、当該第１のウィンドウＷＩＮよりもさらに詳細な入力を行うために、第１のウィンドウＷＩＮとは別の第２のウィンドウＷＩＮを画面内に表示させることもできる。
【００７３】
さらにこれを繰り返していき、第ｎのウィンドウＷＩＮよりもさらに詳細な入力を行うための、第ｎのウィンドウＷＩＮとは別の第ｎ＋１のウィンドウＷＩＮを画面内に表示させることもできる。
【００７４】
なお、図５（ａ）において、入力欄に対応するウィンドウＷＩＮlmは、個別的に一つずつ表示させるのではなく、複数のＷＩＮlmが同時に表示させるような制御を情報処理装置が行うようにしてもよい。
【００７５】
そうすると、読影項目ＩＴkが複数存在する場合であっても、複数の読影項目ＩＴkに関する入力欄に対応する複数のウィンドウＷＩＮlmが同時に表示装置Ｄの画面内に表示される。そのため、オペレータ８０は、複数の読影項目ＩＴk全てに関して、他のウィンドウＷＩＮlmに入力されている内容を参照しながら、入力欄への入力を行うことができる。
【００７６】
さらに、ある読影項目ＩＴkに対するウィンドウＷＩＮlmを階層化された複数のウィンドウＷＩＮによって構成する場合であっても、上記のように複数の読影項目ＩＴkに関する入力欄に対応する複数のウィンドウＷＩＮlmを表示させる場合と同様にして、階層化された複数のウィンドウＷＩＮを画面内に表示させることもできる。
【００７７】
図４に示す読影レポートには、医用画像ＩＭにおける特定の箇所Ａlj（アノテーション：Ａｎｎｏｔａｔｉｏｎ）における所定の読影項目ＩＴk`（Ａlj）ごとに、必要な所見Ｆk`1，Ｆk`2，Ｆk`3，  ，も記載されることもある。
【００７８】
そこで、このような場合には、図５に示すように、オペレータＯＰが入力装置Ｉであるマウスを操作することによって、医用画像ＩＭｌの特定の箇所Ａljを指定し、指定された箇所に対して、ポインタ（Ａlj）を医用画像ＩＭｌ内に表示させる制御を情報処理装置に行わせるようにしても良い。
【００７９】
このとき、医用画像ＩＭｌ内においてオペレータＯＰによって指定された特定の箇所Ａljにおける所定の読影項目ＩＴk`（Ａlj）ごとに、必要な所見Ｆk`1，Ｆk`2，Ｆk`3，  ，を入力するための入力欄に対応するウィンドウＷＩＮlmを、情報処理装置によって表示させるようにする。
【００８０】
そのようにすることで、オペレータ８０は、表示装置Ｄの画面内に表示されたポインタ（Ａlj）で示された医用画像ＩＭｌの箇所を詳細に確認しながら、読影項目ＩＴk`（Ａlj）に関して入力欄への所見の入力を効率的に行うことができる。
【００８１】
しかもこのとき、医用画像ＩＭｌとともにその入力欄に対応するウィンドウＷＩＮlmも画面内に表示されているので、オペレータＯＰは、医用画像ＩＭｌから目を離さないで、入力欄に対する入力を行うことができる。
【００８２】
入力欄に対応するウィンドウＷＩＮlmへの入力形態について図５（ｂ），（ｃ）を参照しながら説明する。
図５（ｂ）は、ウィンドウＷＩＮlmへの入力形態が記入式である場合を示す図である。図５（ｂ）には、所定の読影項目ＩＴkに関する所見事項Ｆとして、記入される文字列「いろはにほへと」が所見として入力された状態を示す。
【００８３】
このような入力は、例えば、オペレータＯＰが入力装置Ｉであるキーボードを操作することによって、その操作信号が処理装置Ｐに送信され、処理装置Ｐが記憶装置Ｍと協働して操作信号に対応する文字列を表示装置Ｄの画面に表示させる制御を実行することで完了する。
【００８４】
そして、入力された所定の読影項目ＩＴkに関する所見事項は、ソフトウェアの通常のアルゴリズムによって図４に示す読影レポートに反映される。
【００８５】
図５（ｃ）は、ウィンドウＷＩＮlmへの入力形態が選択式である場合を示す図である。図５（ｃ）には、所定の読影項目ＩＴkに関する所見事項として、選択すべき所見ＡＴ1，ＡＴ2，  ，  ，の選択肢のうち、例えば所見事項Ｆに関するＡＴxの選択肢が選択された状態を示す。
【００８６】
このような入力は、例えば、オペレータＯＰが入力装置Ｉであるマウスを操作し、表示されているＡＴ1，ＡＴ2，  ，  ，の選択肢のうち、ＡＴxの選択肢を指定する。そうすると、入力装置Ｉの操作信号が処理装置Ｐに送信され、処理装置Ｐが記憶装置Ｍと協働して操作信号に対応するＡＴxの選択肢が表示装置Ｄの画面に選択される制御を実行する。
【００８７】
そして、入力された所定の読影項目ＩＴkに関する所見事項についてのＡＴxの情報は、ソフトウェアの通常のアルゴリズムによって図４に示す読影レポートに反映される。
【００８８】
（実施例）
以上の実施形態についてのより具体的な例について説明する。
本実施例においては、図２に示す読影レポート作成支援端末Ｔの表示装置Ｄに表示される具体的な表示内容に関する図６〜図１０を参照しながら説明する。
【００８９】
また、本実施例における読影レポート作成支援端末Ｔの動作はソフトウェア化されており、当該ソフトウェアに関するプログラムは読影レポート作成支援端末Ｔの記憶装置Ｍ（図３参照）に格納され、そのプログラムは処理装置Ｐによって実行される。
【００９０】
また、ソフトウェア化されたプログラムは、上記で説明した読影レポート作成支援端末Ｔの動作に関するアルゴリズムを具現化したものである。なお、本実施例の場合では、従来技術における読影レポートを作成するためのソフトウェアの通常の機能に、上記で説明した本実施形態の特徴となる（図５及びそれに関する明細書の説明の箇所を参照）機能を追加したものである。
【００９１】
本実施例の読影レポート作成支援端末Ｔによって作成される読影レポートは、図６に示す読影レポートを例とする。ここで図６に示す読影レポートの内容についての詳細は既に説明したので、説明を省略する。
【００９２】
図６に示す読影レポートにおいて、医用画像ＩＭ全体についての所定の読影項目ＩＴ1，ＩＴ2，ＩＴ3，ＩＴ4，ＩＴ5，ＩＴ6に関する所見Ｆ11，Ｆ21，Ｆ31，Ｆ41，Ｆ51，Ｆ61を入力する場合に、読影レポート作成支援端末Ｔの入力装置Ｉを使用して入力するとき、表示装置Ｄに表示される画面を示す図７，８，１０を参照しながら説明する。
【００９３】
また、医用画像ＩＭにおける特定の箇所Ａ11，Ａ22，Ａ23における所定の読影項目ＩＴ1`，ＩＴ2`に関する所見Ｆ1`1，Ｆ2`2，Ｆ2`3を読影レポート作成支援端末Ｔの入力装置Ｉを使用して入力する場合に、表示装置Ｄに表示される画面を示す図７，９，１０を参照しながら説明する。
【００９４】
図７は、表示装置Ｄの画面内に表示される具体的な画面として、マンモグラフィによって女性の乳房が撮影された医用画像ＩＭ1，ＩＭ2が表示されている。そして、これらの医用画像ＩＭ1，ＩＭ2とともに、読影項目ＩＴ（ここでは、図６に示す読影レポートの読影項目ＩＴ1，ＩＴ2，ＩＴ3，ＩＴ5，ＩＴ6，ＩＴ1`）に関する所見事項を入力するための入力欄が、ウィンドウＷＩＮ1(2)1，ＷＩＮ12として表示されている。
【００９５】
ここで、ウィンドウＷＩＮ1(2)1，ＷＩＮ12の表示面積は医用画像ＩＭ1，ＩＭ2の表示面積よりも小さく表示されている。
【００９６】
さらに、医用画像ＩＭ1における所定の箇所Ａ11がアノテネーション(1)として、医用画像ＩＭ1内に表示されている。なお、医用画像ＩＭ1内に表示されるアノテーション(1)の表示は、オペレータＯＰが、マウスを操作することによって、上記ソフトウェアの情報処理におけるアノテーションを表示させるためのアルゴリズム（通常のプログラミング手法を採用できる）に従って情報処理装置の制御により表示させることができる。
【００９７】
また、アノテーション(1)が表示されている箇所にマウスのカーソル（ポインタ）をもって行き、マウスクリックを行うことによって、ウィンドウＷＩＮ12が表示されるようにする。そうすることで、アノテーション(1)の箇所における読影項目ＩＴ1`に関する入力欄としてのウィンドウＷＩＮ12を、必要なタイミングで表示させることができる。
【００９８】
その他に、医用画像ＩＭ2の所定の箇所Ａ22，Ａ23をアノテネーション(2)，(3)として、医用画像ＩＭ2内に表示させる。
なお、読影を行う際の補助的な画像として、図６に示す読影レポートにおいて、乳房の模式図に相当する画像が、ＩＭAUXとして表示されている。
【００９９】
ウィンドウＷＩＮ1(2)1，ＷＩＮ12としての入力欄に対しては、以下で説明するように、本実施例の読影レポート作成支援端末Ｔに備わっている入力装置Ｉとしてのマウスやキーボードを操作することによって表示装置Ｄの画面上で入力操作を行うことができる。
【０１００】
ここで、かかる入力操作を行う場合は、表示装置Ｄの画面内には医用画像ＩＭ1，ＩＭ2が表示されているので、オペレータＯＰは、医用画像ＩＭ1，ＩＭ2について詳しく読影を行うことができるようになる。
これにより、オペレータＯＰは、医用画像ＩＭ1，ＩＭ2における所定の読影項目ＩＴ1，ＩＴ2，ＩＴ3，ＩＴ4，ＩＴ5，ＩＴ6，ＩＴ1`，ＩＴ2`に関する所見を得ることができる。
【０１０１】
同時に、医用画像ＩＭ1，ＩＭ2とともにウィンドウＷＩＮ1(2)1，ＷＩＮ12からなる入力欄も表示されているので、オペレータＯＰは、医用画像ＩＭ1，ＩＭ2を詳細に確認しながら、ウィンドウＷＩＮ1(2)1，ＷＩＮ12の入力欄に対する所見についての入力を入力装置Ｉによって行うことができる。
【０１０２】
さらに、ウィンドウＷＩＮ1(2)1，ＷＩＮ12は、入力装置Ｉのマウスを操作することによって、画面内において自在に移動させることができるので、医用画像ＩＭ1，ＩＭ2の隅々まで詳細に確認しながら、所見についての入力を入力装置Ｉによって行うことができる。
【０１０３】
ウィンドウＷＩＮを表示装置Ｄの画面内に表示させながら、オペレータＯＰが所見についての入力を入力装置Ｉによって実際に行う場合を、図８，９を参照しながら説明する。
図８は、「撮影方法」に関する読影項目ＩＴ1、「読影状態」に関する読影項目ＩＴ2、
「乳腺の構成」に関する読影項目ＩＴ3、「右乳房のマンモグラフィのカテゴリー」に関する読影項目ＩＴ5、及び、「左乳房のマンモグラフィのカテゴリー」に関する読影項目ＩＴ6に関する所見を入力するためのウィンドウＷＩＮ（図７に示すウィンドウＷＩＮ1(2)1に相当する。）が示されている。
【０１０４】
上記ウィンドウＷＩＮ上において所見を入力するための手段として、図５（ｂ）または図５（ｃ）に示すような、記入方式または選択方式を採用している。
例えば、オペレータＯＰが「撮影方法」に関する所見を入力する場合には図８に示すように、選択肢「内外射位方向（ＭＬＯ）」、または、「頭尾方向（ＣＣ）」のうちいずれかを選択させるようにしている。
【０１０５】
また、オペレータＯＰが「読影状態」に関する所見を入力する場合には、選択肢「可」、または、「不可」のうちいずれかを選択させるようにしている。そして、「撮影状態」についてさらに詳細な入力を行うために、「体動」、「ポジショニング不良」、または、「マンモグラフィ不適」の中からプルダウン方式で選択させる。
【０１０６】
オペレータＯＰが「乳腺の構成」に関する所見を入力する場合には、選択肢「脂肪性」、「不均一高濃度」、「乳腺散在」、または、「高濃度」のうちいずれかの選択肢を選択させるようにしている。
【０１０７】
さらに、オペレータＯＰが「右乳房のマンモグラフィのカテゴリー」、「左乳房のマンモグラフィのカテゴリー」に関する所見を入力する場合で、かつ、異常ありの所見とされた場合には、図８に示すウィンドウＷＩＮ内に設けられた「異常あり」のアイコンをマウスでクリックさせるようにする。
【０１０８】
そうすると、図５（ｂ）に示すような入力欄が、図７に示す表示装置Ｄの画面内に表示された医用画像ＩＭ1，ＩＭ2と共に表示装置Ｄの画面内に表示される。すなわち、かかる入力欄は、図８に示すウィンドウＷＩＮの下位のウィンドウとして、ウィンドウＷＩＮとともに表示される。
【０１０９】
当該入力欄が表示された場合には、オペレータＯＰは「右（左）乳房のマンモグラフィのカテゴリー」に関する所見をキーボードで入力することができる。このとき、医用画像ＩＭ1，ＩＭ2も表示されているので、オペレータＯＰは、入力すべき所見と医用画像ＩＭ1，ＩＭ2との対応を取りながら入力作業を行うことができる。
【０１１０】
表示された入力欄に対して「右（左）乳房のマンモグラフィのカテゴリー」に関する所見の入力が完了すると、図８のウィンドウＷＩＮ内に表示されているように、記入された事項が再掲される。
【０１１１】
例えば、図８に示すように、「右乳房のマンモグラフィのカテゴリー」に関する読影項目ＩＴ5に関して異常ありの所見とされているので、ウィンドウＷＩＮ内には入力された事項「良性、しかし悪性を否定できない」が再掲されている。
【０１１２】
一方で、「左乳房のマンモグラフィのカテゴリー」に関する読影項目ＩＴ6に関して異常なしの所見とされているので、ウィンドウＷＩＮ内にはデフォルトの事項「良性」が表示されている。
【０１１３】
その他、図８に示すウィンドウＷＩＮでは、「比較読影」の有無、医用画像の「経時的変化」の有無について、オペレータＯＰに入力させるようにしている。具体的には、「比較読影」の有無に対しては「あり」または「なし」をオペレータに選択させるようにしている。そして、「経時的変化」については、「増悪」、「普通」、「軽快」の中からプルダウン方式で選択させている。
【０１１４】
図９には、「画像ＩＭ1のアノテーション(1)（Ａ11）における所見」に関する読影項目ＩＴ1`に関する所見を入力するためのウィンドウＷＩＮ（図７に示すウィンドウＷＩＮ12に相当する。）が示されている。
ここで、「画像ＩＭ2のアノテーション(2)（Ａ22），(3)（Ａ23）における所見」に関する読影項目ＩＴ2`に関する所見を入力するためのウィンドウＷＩＮについては、図９で示す「画像ＩＭ1のアノテーション(1)（Ａ11）における所見」に関する読影項目ＩＴ1`に関する所見を入力するためのウィンドウＷＩＮと同形式であるので、説明を省略する。
【０１１５】
図９（ａ）に示すウィンドウＷＩＮは、アノテーション(1)が医用画像ＩＭ1上において、乳房のどの部位を示しているのかについてチェックするための選択肢が設けられている。すなわち、アノテーション(1)が、乳房の「右（Ｒ）」または「左（Ｌ）」のいずれを示しているのかを選択させる選択肢が設けられている。
また、乳房の部位の内、「Ｕ」、「Ｍ」、「Ｌ」、「Ｓ」、「Ｘ」、「Ｗ」、「Ｏ」、「Ｉ」、「Ｓ」（補助画像ＡＵＸも参照）のいずれが示されているのかを選択させる選択肢が設けられている。
【０１１６】
また、図９（ａ）に示すウィンドウＷＩＮには、「マンモグラフィのカテゴリー」がどの所見レベルであるのかを選択させる、「１」〜「５」の５択の選択肢が設けられている。
また、アノテーション(1)で示される箇所が、「腫瘤」、「石灰化」、または、「その他」の状態であるのかを選択させる選択肢が設けられている。
【０１１７】
さらに、アノテーション(1)で示される箇所が、３つの選択肢「腫瘤」、「石灰化」、または、「その他」によって選択された各状態において、当該状態についてさらに詳細な入力を行うための選択肢を、３つの選択肢（「腫瘤」、「石灰化」、「その他」）の下位の選択肢として設ける。
【０１１８】
図９（ａ）に、「腫瘤」の状態についてさらに詳細な入力例を示す。まず、「腫瘤の形状」についての読影項目に関する所見事項として、「円形・楕円形」、「多角形」、「分葉形」、または、「不整形」のうちいずれかを選択させる選択肢を設ける。
【０１１９】
また、「腫瘤」の状態についてさらに詳細な入力を行うために、「腫瘤の辺縁」についての読影項目に関する所見事項として、「境界明瞭平滑」、「微細分葉状」、「境界不明瞭」、「スピキュラを伴う」、または、「評価困難」のうちいずれかを選択させる選択肢を設ける。
【０１２０】
図９（ｂ）に、「石灰化」の状態についてさらに詳細な入力を行う例を示す。まず、「石灰化の形態」についての読影項目に関する所見事項として、「微小円形」、「淡く不明瞭」、「多形成あるいは不均一」、または、「微細腺状」のうちいずれかを選択させる選択肢を設ける。
【０１２１】
図９（ｃ）に、「その他」の状態についてさらに詳細な入力を行う例を示す。この例では、「その他」についての読影項目に関する所見事項として、選択肢を設ける。なお、選択肢の詳細は図９（ｃ）に示す通りである。
【０１２２】
図８または図９で示すウィンドウＷＩＮにおいて、オペレータＯＰは読影事項ＩＴに関する所見事項の入力を、入力装置Ｉの操作を行うことによって、複数の選択肢の中から一つの選択肢を選択、または、直接語句を入力することにより、行う。
【０１２３】
ここで、ウィンドウＷＩＮとともに、医用画像ＩＭ1，ＩＭ2も表示されているので、オペレータＯＰは、入力すべき所見と医用画像ＩＭ1，ＩＭ2との対応を取りながら入力作業を行うことができる。
【０１２４】
図８または図９で示すウィンドウＷＩＮにおける、オペレータＯＰによる読影事項ＩＴに関する所見事項の入力が以下の通り完了したとする。
これは、図６で示す読影レポートに対応する通りの所見の入力が完了した場合が該当する。
【０１２５】
すなわち、
「撮影方法」に関する読影項目ＩＴ1に関する所見として、所見Ｆ11「内外射位方向（ＭＬＯ）」が入力されたとする。
「読影状態」に関する読影項目ＩＴ2、に関する所見として、所見Ｆ21「ポジショニング不良」が入力されたとする。
「乳腺の構成」に関する読影項目ＩＴ3、に関する所見として、所見Ｆ31「不均一高濃度」が入力されたとする。
【０１２６】
なお、医用画像ＩＭ1，ＩＭ2における特定の箇所Ａ11，Ａ22，Ａ23における所定の読影項目ＩＴ1`，ＩＴ2`に関する所見として、
アノテーション(1)（Ａ11）における所見Ｆ1`1「腫瘤：分葉形、スピキュラを伴う」が入力されたとする。なお、アノテーション(1)が示す乳房の部位は「Ｌ」であるとする。
また、
アノテーション(2)（Ａ22）における所見Ｆ2`2「石灰化：多形成あるいは不均一」が入力されたとする。なお、アノテーション(2)が示す乳房の部位は「Ｍ」であるとする。
また、
アノテーション(3)（Ａ23）における所見Ｆ2`3「腫瘤：分葉形、スピキュラを伴う」が入力されたとする。なお、アノテーション(3)が示す乳房の部位は「Ｓ」であるとする。
【０１２７】
以上の入力が完了すると、読影レポート作成支援端末Ｔの情報処理装置は、ソフトウェアのアルゴリズムに基づき、入力事項の統合処理を実行し、図６で示す読影レポートに対応する最終入力画面を表示装置Ｄに表示させる。このとき、医用画像ＩＭやウィンドウＷＩＮの表示を中止する。
【０１２８】
図１０に読影レポートに対応する最終入力画面の表示を示す。
最終入力画面において、図１０に示すように、読影項目ＩＴ1，ＩＴ2，ＩＴ3，ＩＴ4，ＩＴ5，ＩＴ6，ＩＴ1`，ＩＴ2`が示されている。
【０１２９】
さらに、これらの読影項目ＩＴに対応するように、上記の通り入力された所見Ｆ11，Ｆ21，Ｆ31，Ｆ41，Ｆ51，Ｆ61、及び、Ｆ1`1，Ｆ2`2，Ｆ2`3が示されている（なお、所見Ｆ41，Ｆ51，Ｆ61は、オペレータＯＰが入力された左記所見を総合的に判断して、図１０に示す最終入力画面において入力する）。
【０１３０】
ここで、所見Ｆ41，Ｆ51，Ｆ61以外の所見Ｆ11，Ｆ21，Ｆ31，及び、Ｆ1`1，Ｆ2`2，Ｆ2`3は既に選択され、図１０に示す最終入力画面において統合されている。
そこで、オペレータＯＰは、統合された所見を参照しながら、「右乳房のマンモグラフィのカテゴリー」に関する読影項目ＩＴ5、及び、「左乳房のマンモグラフィのカテゴリー」に関する読影項目ＩＴ6に関する所見を決定する。
【０１３１】
ここでは、オペレータＯＰは、読影項目ＩＴ5に関する所見として、５ランクに分けられた選択肢のうち、「カテゴリー３」を所見Ｆ51として選択する。また、オペレータＯＰは、読影項目ＩＴ6に関する所見として、５ランクに分けられた選択肢のうち、「カテゴリー１」を所見Ｆ61として選択する
【０１３２】
そして最後に、オペレータＯＰは、最終的なマンモグラフィ判定を行う。オペレータＯＰは図１０に示すように、「マンモグラフィ判定」に関する項目を読影項目ＩＴ4とし、その所見Ｆ41「要精密検査」として、２つの選択肢「精密検査不要」または「要精密検査」から選択する。
以上の入力が完了すると、図６に示す読影レポートが完成する。
【図面の簡単な説明】
【０１３３】
【図１】本発明の実施の形態に係る読影レポート作成支援端末が、モダリティ装置とサーバーが接続されているネットワークに接続された構成を示す図である。
【図２】本発明の実施形態に係る読影レポート作成支援端末の例を示す図であり、（ａ）はその斜視図であり、（ｂ）はその横面図となっている。
【図３】図２で示す読影レポート作成支援端末の内部構成についての、ブロック構成図を示す図である。
【図４】端末によって作成された読影レポートの概念を示す図である。
【図５】本発明の実施の形態に係る読影レポート作成支援端末の表示装置Ｄに表示される画像の概念を示す図である。
【図６】読影レポートの具体的な例を示す図である。
【図７】本実施例において、読影レポート作成支援端末の表示装置に表示される画面の例を示す図である。
【図８】本実施例において、読影レポート作成支援端末の表示装置に表示される画面の例を示す図である。
【図９】本実施例において、読影レポート作成支援端末の表示装置に表示される画面の例を示す図である。
【図１０】本実施例において、読影レポート作成支援端末の表示装置に表示される画面の例を示す図である。
【図１１】従来において、読影レポートを作成する場合の端末の表示装置の画面内に表示される画像の概念を示す図である。（ａ）は医用画像を表示するための表示装置の画面内に表示される画像であり、（ｂ）は読影レポートを作成するための表示装置の画面内に表示される画像である。
【符号の説明】
【０１３４】
ＭＯ…モダリティ，  Ｎ…ネットワーク，  Ｓ…サーバー，  Ｔ…端末，  ＯＰ…オペレータ，  Ｄ…表示装置，  Ｉ…入力装置，  Ｐ…処理装置，  Ｍ…記憶装置
【図１】
2010128971.tif 000003
【図２】
2010128971.tif 000004
【図３】
2010128971.tif 000005
【図４】
2010128971.tif 000006
【図５】
2010128971.tif 000007
【図６】
2010128971.tif 000008
【図７】
2010128971.tif 000009
【図８】
2010128971.tif 000010
【図９】
2010128971.tif 000011
【図１０】
2010128971.tif 000012
【図１１】
2010128971.tif 000013